(57)【要約】本発明の照明装置１２は、複数の光源１７と、前記光源１７よりも前記光出射部１５ｚ側に配された光学部材１５とを備え、前記光学部材１５は、前記光源１７からの光を拡散させるとともに、前記光出射部１５ｚ側の面にプリズム５２を備えたプリズム拡散板１５ａと、前記プリズム拡散板１５ａよりも前記光出射部１５ｚ側に配され、前記光出射部１５ｚ側の面に凸レンズ６２を備えたレンズシート１５ｃと、を備えることを特徴とする。
2009090811.tif 000002
【特許請求の範囲】
【請求項１】
光を出射する光出射部を備えた照明装置であって、
複数の光源と、前記光源よりも前記光出射部側に配された光学部材とを備え、
前記光学部材は、前記光源からの光を拡散させるとともに、前記光出射部側の面にプリズムを備えたプリズム拡散板と、前記プリズム拡散板よりも前記光出射部側に配され、前記光出射部側の面に凸レンズを備えたレンズシートと、を備えることを特徴とする照明装置。
【請求項２】
前記光源は、それぞれ線状の光源からなり、当該線状の光源が並列配置されてなるものであって、
前記プリズム拡散板は、前記プリズムが線状に形成されるとともに、当該線状のプリズムが並列配置された構成を有し、且つ当該プリズムの長手方向が、前記光源の長手方向に沿って配置されてなり、
前記レンズシートは、前記凸レンズが線状に形成されるとともに、当該線状の凸レンズが並列配置された構成を有し、且つ当該凸レンズの長手方向が、前記光源の長手方向に沿って配置されてなることを特徴とする請求の範囲第１項に記載の照明装置。
【請求項３】
前記光学部材は、前記レンズシートよりも前記光出射部側に配され、当該レンズシートから出射された光を拡散させるとともに、前記プリズム拡散板の厚さよりも厚さの小さい拡散シートを備えることを特徴とする請求の範囲第１項又は請求の範囲第２項に記載の照明装置。
【請求項４】
光を出射する光出射部を備えた照明装置であって、
複数の光源と、
前記光源よりも前記光出射部側に配された光学部材とを備え、
前記光学部材は、前記光源からの光を拡散させるとともに、前記光出射部側の面にプリズムを備えたプリズム拡散板と、前記プリズム拡散板よりも前記光出射部側に配され、前記光出射部側の面にプリズムを備えたプリズムシートと、を備えることを特徴とする照明装置。
【請求項５】
前記プリズム拡散板が備えるプリズムと、前記プリズムシートが備えるプリズムとは、それぞれの形状が異なることを特徴とする請求の範囲第４項に記載の照明装置。
【請求項６】
前記プリズム拡散板が備えるプリズムの頂角と、前記プリズムシートが備えるプリズムの頂角とは、それぞれ角度が異なることを特徴とする請求の範囲第４項又は請求の範囲第５項に記載の照明装置。
【請求項７】
前記光源は、それぞれ線状の光源からなり、当該線状の光源が並列配置されてなるものであって、
前記プリズム拡散板は、前記プリズムが線状に形成されるとともに、当該線状のプリズムが並列配置された構成を有し、且つ当該プリズムの長手方向が、前記光源の長手方向に沿って配置されてなり、
前記プリズムシートは、前記プリズムが線状に形成されるとともに、当該線状のプリズムが並列配置された構成を有し、且つ当該プリズムの長手方向が、前記光源の長手方向に沿って配置されてなることを特徴とする請求の範囲第４項から請求の範囲第６項のいずれか１項に記載の照明装置。
【請求項８】
前記光学部材は、前記プリズムシートの前記光出射部側に配され、当該プリズムシートから出射された光を拡散させるとともに、前記プリズム拡散板の厚さよりも厚さの小さい拡散シートを備えることを特徴とする請求の範囲第４項から請求の範囲第７項のいずれか１項に記載の照明装置。
【請求項９】
請求の範囲第１項から請求の範囲第８項のいずれか１項に記載の照明装置と、
前記照明装置からの光を利用して表示を行う表示パネルと、を備えることを特徴とする表示装置。
【請求項１０】
前記表示パネルが液晶を用いた液晶パネルであることを特徴とする請求の範囲第９項に記載の表示装置。
【請求項１１】
請求の範囲第９項又は請求の範囲第１０項に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このようなバックライト装置は、液晶パネルの裏側（表示面とは反対側）に設置されるようになっており、多数の線状光源と、この線状光源の光出射側に配された拡散板とを有した構成のものが公知である（特許文献１参照）。
【特許文献１】特開２００６−２０８９６８公報
【０００３】
（発明が解決しようとする課題）
特許文献１に開示された技術では、拡散板として、実質的に透明な基材の一方の面に凸状のレンチキュラーレンズが設けられており、他方の面に隠蔽性の少ない拡散層が設けられていて、基材の全光線透過率が７０％以上であるものを用いている。これによりランプイメージの低減を図りつつも、全光線透過率が改善されると開示されている。しかしながら、ランプイメージの低減を図ることは一層高く要求されており、特に超薄型の表示装置を提供するために、液晶パネルとバックライト装置との距離を可能な限り近づけたい場合には、当該ランプイメージの低減は最重要課題の一つとなり得る。
【発明の開示】
【０００４】
本発明は、上記のような事情に基づいてなされたものであって、液晶パネル等の光照射対象に対して近づけた場合にも、光源のイメージが視認されることがなく、超薄型の表示装置等に好適に用いることが可能な照明装置を提供することを目的としている。また、本発明は、そのような照明装置を備えた表示装置、更にはそのような表示装置を備えたテレビ受信装置を提供することを目的としている。
【０００５】
（課題を解決するための手段）
上記課題を解決するために、本発明の照明装置は、光を出射する光出射部を備えた照明装置であって、複数の光源と、前記光源よりも前記光出射部側に配された光学部材とを備え、前記光学部材は、前記光源からの光を拡散させるとともに、前記光出射部側の面にプリズムを備えたプリズム拡散板と、前記プリズム拡散板よりも前記光出射部側に配され、前記光出射部側の面に凸レンズを備えたレンズシートと、を備えることを特徴とする。
【０００６】
このような照明装置により、光源の配置イメージが視認されることなく、面内輝度が均一な照射光を光照射対象に供することが可能となる。本発明の照明装置では、光源から出射された光は、プリズム拡散板で拡散されるとともに、そのプリズム拡散板の光出射部側のプリズムにより虚像が創出されることで、光源の配置イメージの解消が実現される。そして更に、プリズム拡散板を出射した光は、光出射面に凸レンズを備えたレンズシートにより分割・集光されて、更なる光源の配置イメージの解消が実現され、最終的に当該光学部材を透過した光（照明光）は、光源の配置イメージに沿った影がなく、輝度均一性に優れた照射光となるのである。
【０００７】
本発明の照明装置において、前記光源は、それぞれ線状の光源からなり、当該線状の光源が並列配置されてなるものであって、前記プリズム拡散板は、前記プリズムが線状に形成されるとともに、当該線状のプリズムが並列配置された構成を有し、且つ当該プリズムの長手方向が、前記光源の長手方向に沿って配置されてなり、前記レンズシートは、前記凸レンズが線状に形成されるとともに、当該線状の凸レンズが並列配置された構成を有し、且つ当該凸レンズの長手方向が、前記光源の長手方向に沿って配置されてなるものとすることができる。
このような構成により、当該照明装置から出射される照明光において、光源の配置イメージ（つまり線状の影）ができることを好適に防止ないし抑制することが可能となる。
【０００８】
また、前記光学部材は、前記レンズシートの前記光出射部側に配され、当該レンズシートから出射された光を拡散させるとともに、前記プリズム拡散板の厚さよりも小さい厚さの拡散シートを備えるものとすることができる。
このような構成により、光源の配置イメージの解消が一層実現されることとなる。
【０００９】
一方、上記課題を解決するために、本発明の照明装置は、その異なる態様として、光を出射する光出射部を備えた照明装置であって、複数の光源と、前記光源よりも前記光出射部側に配された光学部材とを備え、前記光学部材は、前記光源からの光を拡散させるとともに、前記光出射部側の面にプリズムを備えたプリズム拡散板と、前記プリズム拡散板よりも前記光出射部側に配され、前記光出射部側の面にプリズムを備えたプリズムシートと、を備えることを特徴とする。
【００１０】
このような照明装置により、光源の配置イメージ（配置に沿った影）が視認されることなく、面内輝度が均一な照射光を光照射対象に供することが可能となる。本発明の照明装置では、光源から出射された光は、プリズム拡散板で拡散されるとともに、そのプリズム拡散板の光出射部側のプリズムにより虚像が創出されることで、光源の配置イメージの解消が実現される。そして更に、プリズム拡散板を出射した光は、光出射面にプリズムを備えたプリズムシートにより分割されて、更なる光源の配置イメージの解消が実現され、最終的に当該光学部材を透過した光（照明光）は、光源の配置イメージに沿った影がなく、輝度均一性に優れた照射光となるのである。
【００１１】
上記照明装置に置いて、前記プリズム拡散板が備えるプリズムと、前記プリズムシートが備えるプリズムとは、それぞれの形状が異なるものとすることができる。具体的には、前記プリズム拡散板が備えるプリズムの頂角と、前記プリズムシートが備えるプリズムの頂角とは、それぞれ角度が異なるものとすることができる。
この場合、プリズム拡散板で集光した正面方向の光の強さ（輝度）を極力落とさずに光源の輝度ムラ発生を抑制することが可能となる。
【００１２】
上記照明装置において、前記光源は、それぞれ線状の光源からなり、当該線状の光源が並列配置されてなるものであって、前記プリズム拡散板は、前記プリズムが線状に形成されるとともに、当該線状のプリズムが並列配置された構成を有し、且つ当該プリズムの長手方向が、前記光源の長手方向に沿って配置されてなり、前記プリズムシートは、前記プリズムが線状に形成されるとともに、当該線状のプリズムが並列配置された構成を有し、且つ当該プリズムの長手方向が、前記光源の長手方向に沿って配置されてなるものとすることができる。
このような構成により、当該照明装置から出射される照明光において、光源の配置イメージ（つまり線状の影）ができることを好適に防止ないし抑制することが可能となる。
【００１３】
前記光学部材は、前記プリズムシートの前記光出射部側に配され、当該プリズムシートから出射された光を拡散させるとともに、前記プリズム拡散板の厚さよりも厚さの小さい拡散シートを備えるものとすることができる。
このような構成により、光源の配置イメージの解消が一層実現されることとなる。
【００１４】
次に、上記課題を解決するために、本発明の表示装置は、上記記載の照明装置と、前記照明装置からの光を利用して表示を行う表示パネルと、を備えることを特徴とする。
【００１５】
このような表示装置によると、光源の配置イメージ（配置に沿った影）が視認されることを防止ないし抑制でき、表示品質の優れた表示を実現することが可能となる。
【００１６】
前記表示パネルとしては液晶パネルを例示することができる。このような表示装置は液晶表示装置として、種々の用途、例えばテレビやパソコンのデスクトップ画面等に適用でき、特に超薄型のテレビ受信装置として好適である。
【００１７】
（発明の効果）
本発明によると、光照射対象に対して近づけた場合にも、光源のイメージが視認されることがなく、超薄型の表示装置等に好適に用いることが可能な照明装置を提供することが可能となる。
【図面の簡単な説明】
【００１８】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】図２の液晶表示装置の長辺方向に沿った断面構成を示す断面図。
【図５】バックライト装置の構成を模式的に示す説明図。
【図６】拡散板の構成を示す斜視図。
【図７】拡散板の短辺方向に沿った断面構成を示す要部拡大断面図。
【図８】レンズシートの構成を示す斜視図。
【図９】レンズシートの短辺方向に沿った断面構成を示す要部拡大断面図。
【図１０】拡散シートの構成を示す断面図。
【図１１】プリズムシートの短辺方向に沿った断面構成を示す要部拡大断面図。
【図１２】液晶パネルの視覚特性を示す説明図。
【図１３】レンズシートにおける光の入射態様を示す説明図。
【図１４】実施形態３のテレビ受信装置が備えるバックライト装置の構成を模式的に示す説明図。
【図１５】実施形態４のテレビ受信装置が備えるバックライト装置の構成を模式的に示す説明図。
【図１６】実施形態２のテレビ受信装置が備えるバックライト装置の構成を模式的に示す説明図。
【図１７】実施形態５のテレビ受信装置が備えるバックライト装置の構成を模式的に示す説明図。
【符号の説明】
【００１９】
１０…液晶表示装置（表示装置）、１１…液晶パネル（表示パネル）、１２…バックライト装置（照明装置）、１５…光学部材、１５ａ…拡散板（プリズム拡散板）、１５ｂ…光学シート群、１５ｃ…レンズシート、１５ｄ，１５ｅ，１５ｆ，１５ｇ…拡散シート、１５ｈ…反射型偏光フィルム、１５ｚ…光出射部、１７…冷陰極管（光源）、５２…プリズム、６２…凸レンズ、１５０ｃ…プリズムシート、ＴＶ…テレビ受信装置
【発明を実施するための最良の形態】
【００２０】
＜実施形態１＞
本発明の実施形態１について図面を参照しつつ説明する。
図１は本実施形態１のテレビ受信装置の概略構成を示す分解斜視図、図２は図１のテレビ受信装置が備える液晶表示装置の概略構成を示す分解斜視図、図３は図２の液晶表示装置の短辺方向に沿った断面構成を示す要部拡大断面図、図４は図２の液晶表示装置の長辺方向に沿った断面構成を示す要部拡大断面図である。【００２１】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。【００２２】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３及び図４参照）。【００２３】
バックライト装置１２は、図２に示すように、光出射面側（液晶パネル１１側）に開口した略箱型をなすシャーシ１４と、シャーシ１４の開口部１４ｂを覆うようにして取り付けられる光学部材１５と、シャーシ１４の長辺に沿って配され、光学部材１５のうちシャーシ１４側に配される拡散板１５ａの長辺縁部をシャーシ１４との間で挟んで保持するフレーム１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも光学部材１５側が光出射側となっており、本実施形態では光学部材１５の光出射側（つまり液晶パネル１１側）が光出射部１５ｚとなっている（図５参照）。【００２４】
シャーシ１４は、金属製とされ、矩形状の底板と、その各辺から立ち上がり略Ｕ字状に折り返された折返し外縁部２１（短辺方向の折返し外縁部２１ａ及び長辺方向の折返し外縁部２１ｂ）とからなる浅い略箱型に板金成形されている。シャーシ１４の底板には、その長辺方向の両端部に、中継コネクタ１９を取り付けるための取付孔２２が複数穿設されている。さらに、シャーシ１４の折返し外縁部２１ｂの上面には、図３に示すように、固定孔１４ｃが穿設されており、例えばネジ等によりベゼル１３、フレーム１６、及びシャーシ１４等を一体化することが可能とされている。【００２５】
シャーシ１４の底板の内面側（冷陰極管１７と対向する面側）には反射シート２３が配設されている。反射シート２３は、合成樹脂製とされ、その表面が光反射性に優れた白色とされており、シャーシ１４の底板面の内側に沿ってそのほぼ全域を覆うように敷かれている。当該反射シート２３の長辺縁部は、図３に示すように、シャーシ１４の折返し外縁部２１ｂを覆うように立ち上がり、シャーシ１４と拡散板１５ａとに挟まれた状態で固定されている。この反射シート２３により、冷陰極管１７から出射された光を光学部材１５側に反射させることが可能となっている。【００２６】
冷陰極管１７は、細長い管状をなす線状光源とされており、その長さ方向（軸方向）をシャーシ１４の長辺方向と一致させた状態で、かつ多数本が互いに平行に並んだ状態（つまり並列配置された状態）でシャーシ１４内に収容されている（図２参照）。なお、冷陰極管１７は、シャーシ１４の底板（反射シート２３）から僅かに浮いた状態とされており、その各端部が中継コネクタ１９に嵌め込まれ、これら中継コネクタ１９を被覆するようにホルダ２０が取り付けられている。【００２７】
ホルダ２０は、白色を呈する合成樹脂製とされ、冷陰極管１７の端部を覆い、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。
ホルダ２０の階段状面はシャーシ１４の底板面と平行な３面からなり、最も低い位置にある第１面２０ａには拡散板１５ａの短辺縁部が載置されている。さらに、第１面２０ａからは、シャーシ１４の底板面に向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。【００２８】
光学部材１５は、冷陰極管１７から出射された光の出射特性（例えば出射角度、面内輝度分布等）を変化させる部材であって、図２に示すように拡散板１５ａと光学シート群１５ｂとから構成されている。なお、光学シート群１５ｂは、拡散板１５ａ側から該拡散板１５ａに隣接して配されたレンズシート１５ｃ、拡散シート１５ｄ，１５ｅ，１５ｆ,１５ｇ、反射型偏光フィルム１５ｈが積層された構成を有している。【００２９】
以下、バックライト装置１２の構成について詳細に説明する。図５はバックライト装置１２の構成を模式的に示す説明図、図６はバックライト装置が備える拡散板１５ａの構成を示す斜視図、図７は同拡散板１５ａの短辺方向に沿った断面構成を示す要部拡大断面図である。また、図８はレンズシート１５ｃの構成を示す斜視図、図９は同レンズシート１５ｃの短辺方向に沿った断面構成を示す要部拡大断面図である。また、図１０は拡散シート１５ｄ，１５ｅ，１５ｆ，１５ｇの構成を示す斜視図である。【００３０】
図５に示すように、本実施形態のバックライト装置１２においては、シャーシ１４の内面側に配された反射シート２３と光学部材１５の拡散板１５ａとの間に形成された空間（光源収容室）に、冷陰極管１７が並列配置されて収容されている。本実施形態で用いた冷陰極管１７は管径ｘ＝４．０ｍｍ、冷陰極管１７と反射シート２３との間の距離ｙ＝０．８ｍｍ、隣り合う冷陰極管１７間の距離ｚ＝１６．４ｍｍ、冷陰極管１７と拡散板１５ａとの距離ｗ＝２．７ｍｍとされている。このようにバックライト装置１２では各構成部材間で薄型化が図られており、特に冷陰極管１７と拡散板１５ａとの距離、冷陰極管１７と反射シート２３との距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。【００３１】
光学部材１５のうち拡散板１５ａは、図６及び図７に示すように、合成樹脂製の板状部材５３に光散乱粒子５１が分散配合されてなり、線状光源（管状光源）たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００３２】
また、拡散板（プリズム拡散板）１５ａの表面（光出射面）には線状のプリズム５２が並列に形成されており、冷陰極管１７の長手方向とプリズム５２の長手方向とが平行となるように配置されている。なお、拡散板１５ａの厚さＴａは２ｍｍ、プリズム５２の山型頂部のピッチＰａは０．０７ｍｍ、プリズム５２の山型頂部の角度αは１１０°±５°（製造ばらつき）とされており、全光線透過率は約８５％とされている。【００３３】
光学部材１５のうち拡散板１５ａ以外の光学シート群１５ｂは、図３及び図４に示すように、拡散板１５ａと液晶パネル１１との間に挟まれており、上述した通り、拡散板１５ａよりも光出射側に隣接して配されたレンズシート１５ｃ、拡散シート１５ｄ，１５ｅ，１５ｆ，１５ｇ、反射型偏光フィルム１５ｈが積層された構成を有している。【００３４】
レンズシート１５ｃは、図８及び図９に示すように、合成樹脂製の透光性基材の表面（光出射面）に、線状の凸レンズ（凸シリンドリカルレンズ、レンチキュラーレンズ）６２が並列に形成された構成を有し、冷陰極管１７の長手方向と凸レンズ６２の長手方向とが平行となるように配置されている。なお、レンズシート１５ｃの厚さＴｃは０．５ｍｍ、凸レンズ６２のピッチＰｃは０．１５ｍｍとされている。【００３５】
拡散シート１５ｄ，１５ｅ，１５ｆ，１５ｇは、図１０に示すように、合成樹脂製の透光性基材７１の表面に光散乱粒子を分散配合した拡散層７２を貼り合わせた構成を有している。この拡散シート１５ｄ，１５ｅ，１５ｆ，１５ｇの厚さＴｄは、０．２２ｍｍで、透光性基材７１の厚さは０．１８８ｍｍのものを用いている。【００３６】
反射型偏光フィルム１５ｈは、拡散シート１５ｄ，１５ｅ，１５ｆ，１５ｇから出射された光の一部を透過させ、他部を反射させる構成であり、液晶パネル１１の画素への光利用効率を高める機能を有している。なお、反射された光は反射シート２３等の反射によって再利用するものとされている。【００３７】
以上のような構成を有した本実施形態のテレビ受信装置ＴＶによると、その液晶表示装置１０が備えるバックライト装置１２が、光学部材１５として上記構成の拡散板１５ａとレンズシート１５ｃを備えるため、表示画面において冷陰極管１７の配置イメージ（すなわちストライプ状の影）が視認されることなく、面内輝度が均一な表示を提供することが可能となる。これは、バックライト装置１２において、冷陰極管１７から出射された光がプリズム拡散板１５ａで拡散されるとともに、そのプリズム拡散板１５ａの表面のプリズム５２により虚像が創出されることで、冷陰極管１７の配置イメージの解消が実現されることに起因する。また、プリズム拡散板１５ａを出射した光は、光出射面に凸レンズ６２を備えたレンズシート１５ｃにより分割・集光されて、更なる冷陰極管１７の配置イメージの解消が実現されることにも起因する。【００３８】
なお、本実施形態のバックライト装置１２においては、拡散板１５ａの厚さがレンズシート１５ｃの厚さよりも大きく構成されている。これは薄型構造の液晶表示装置１０においては、表示面の輝度ムラをなくし表示品位を良好に保つためには、拡散板１５ａで創出された虚像の効果が崩れないようにする必要があることに起因する。つまり、虚像の効果が崩れないようにするためには、レンズシート１５ｃに入射した光が凸レンズ６２に到達するまでの光線の水平方向の変位Ｃ（図１３参照）を、隣り合う冷陰極管１７間の距離ｚ（図５参照）の±１０％に抑える必要性があるところ、本実施形態のレンズシート１５ｃでは、隣り合う冷陰極管１７間の距離ｚが１６．４ｍｍであるため、許容される水平方向の変位Ｃは±１．６４ｍｍとなる。レンズシート１５ｃに入射する光の角度θを４５°とすると、レンズシート１５ｃの厚さｈは２．８４ｍｍ以下でなければならない。一方、シートのシワや撓みなどを防止する等の信頼性の観点から、レンズシート１５ｃの厚さは例えば表示サイズ（対角）４０インチ以上では０．１８ｍｍ、２０インチ以上では０．１５ｍｍ以上が必要である。よって、レンズシート１５ｃの厚さｈは０．１５ｍｍ〜２．８４ｍｍの範囲である必要があり、本実施形態では０．５ｍｍとしている。なお、上記においてレンズシート１５ｃに入射する光の角度θを４５°としたのは、拡散板１５ａから出射される光線の輝度ｙと角度θの関係が図１２に示したようになるからである。つまり、角度θが±４５°までは輝度ｙが高く、表示装置として良好な表示品位を保つためには該±４５°までの光を無視することができないためである。また、このレンズシート１５ｃに入射した光が３０°方向に屈折するのは当該レンズシート１５ｃの固有の屈折率によるものである（図１３参照）。【００３９】
＜実施形態２＞
次に、本発明の実施形態２のテレビ受信装置について説明する。この実施形態２のテレビ受信装置は、実施形態１のテレビ受信装置ＴＶのバックライト装置１２が備えるレンズシート１５ｃに代えてプリズムシート１５０ｃを採用した点を除き、実施形態１のテレビ受信装置ＴＶと同様の構成である。従って、プリズムシート１５０ｃ以外の構成は、実施形態１の図面を参照するものとする。【００４０】
実施形態２のテレビ受信装置は、バックライト装置において図１６に示すような光学部材１５を有し、ここでは実施形態１のレンズシート１５ｃに代えて図１１に示す構成のプリズムシート１５０ｃを採用し、すなわち拡散板１５ａに隣接してプリズムシート１５０ｃを配設させた。このような場合にも、実施形態１と同様の作用効果を奏することができる。【００４１】
図１１はプリズムシート１５０ｃの断面模式図であるが、当該プリズムシート１５０ｃは、合成樹脂製の透光性基材の表面（光出射面）に、線状のプリズム８２が並列に形成された構成を有し、冷陰極管１７の長手方向とプリズム８２の長手方向とが平行となるように配置されている。なお、プリズムシート１５０ｃの厚さＴｇは０．３ｍｍ、プリズム８２のピッチＰｇは０．０５ｍｍ、プリズム８２の山型頂部の角度βは９０°とされている。【００４２】
このようなプリズムシート１５０ｃを備えるテレビ受信装置においても、その液晶表示装置１０が備えるバックライト装置１２が、光学部材１５として拡散板１５ａと上記プリズムシート１５０ｃを備えるため、表示画面において冷陰極管１７の配置イメージ（すなわちストライプ状の影）が視認されることなく、面内輝度が均一な表示を提供することが可能となる。これは、バックライト装置１２において、冷陰極管１７から出射された光がプリズム拡散板１５ａで拡散されるとともに、そのプリズム拡散板１５ａの表面のプリズム５２により虚像が創出されることで、冷陰極管１７の配置イメージの解消が実現されることに起因する。また、プリズム拡散板１５ａを出射した光は、光出射面にプリズム８２を備えたプリズムシート１５０ｃにより分割されて、更なる冷陰極管１７の配置イメージの解消が実現されることにも起因するのである。【００４３】
＜実施形態３＞
上記実施形態１では、光学部材１５の光学シート群１５ｂにおいて、拡散シートが４枚（拡散シート１５ｄ〜１５ｇ）具備されていたが、図１４に示すように拡散シートを３枚（拡散シート１５ｄ〜１５ｆ）で構成することもできる（実施形態３）。つまり、拡散板１５ａに隣接してレンズシート１５ｃを配し、その上に３枚の拡散シート１５ｄ〜１５ｆ、さらには反射型偏光シート１５ｈを配する構成とすることができる。【００４４】
＜実施形態４＞
上記実施形態１では、光学部材１５の光学シート群１５ｂにおいて、拡散シートが４枚（拡散シート１５ｄ〜１５ｇ）具備されていたが、図１５に示すように拡散シートを２枚（拡散シート１５ｄ〜１５ｅ）で構成することもできる（実施形態４）。つまり、拡散板１５ａに隣接してレンズシート１５ｃを配し、その上に２枚の拡散シート１５ｄ〜１５ｅ、さらには反射型偏光シート１５ｈを配する構成とすることができる。【００４５】
＜実施形態５＞
上記実施形態１では、光学部材１５において、冷陰極管１７側から拡散板１５ａ、レンズシート１５ｃ、拡散シート１５ｄ〜１５ｇ、反射型偏光シート１５ｈの構成としたが、図１７に示すように冷陰極管１７側から拡散板１５ａ、拡散シート１５ｄ〜１５ｇ、プリズムシート１５０ｃ、反射型偏光シート１５ｈの構成とすることもできる（実施形態５）。【００４６】
なお、上述した各実施形態１〜５について、その表示面において冷陰極管１７の配置イメージが視認されるか否かを確認したところ、次のようになった。
まず、実施形態１の場合では、表示面を注視した場合でも、冷陰極管１７の配置イメージは視認されることはなかった。
また、実施形態２及び実施形態３の場合では、表示面を注視した場合、若干冷陰極管１７の配置イメージが視認される場合もあった。つまり、通常に目視する程度では、表示に何ら問題はなかった。
また、実施形態４及び実施形態５の場合では、表示面を注視した場合、冷陰極管１７の配置イメージが視認される場合があるものの、映像では気にならない程度のものであった。【００４７】
一方、比較例１として、冷陰極管１７側から、表面にプリズムを有しない拡散板と、拡散シートと、プリズムシートと、反射型偏光シートとを積層した光学部材を用い、同様に冷陰極管１７の配置イメージが視認されるか否かを確認したところ、表示面に冷陰極管１７の配置イメージが視認され、映像でもはっきりと分かる配置イメージが視認された。
また、比較例２として、冷陰極管１７側から拡散板１５ａ、１枚の拡散シート１５ｄ、プリズムシート１５０ｃ、反射型偏光シート１５ｈとを積層した光学部材を用い、同様に冷陰極管１７の配置イメージが視認されるか否かを確認したところ、表示面に冷陰極管１７の配置イメージが視認され、映像でも気になるような配置イメージが視認された。【００４８】
なお、上記実施形態１〜４では、拡散板１５ａとレンズシート１５ｃ（若しくはプリズムシート１５０ｃ）とが隣接して配されている。このような隣接配置により、拡散板１５ａによって作られた冷陰極管１７の虚像をボカすことなく、レンズシート１５ｃ（若しくはプリズムシート１５０ｃ）に入光させ、さらに好適な虚像に変えることが可能となる。一方、比較例１や比較例２では、レンズシート（若しくはプリズムシート）の補助集光シートとしてレンズシート（若しくはプリズムシート）の下に拡散シートを配置しているため、上記のような好適な虚像効果が得られなかった。つまり、輝度向上を目的として、集光効率を向上させるためにレンズシート（若しくはプリズムシート）の下に拡散シートを配置しているため、冷陰極管１７の配置イメージを抑制することが難しいものとなっている。これに対し、実施形態５では、比較例２に比して拡散シートの数を増やしたため、実施形態１〜３のような配置イメージの解消までは至らないものの、映像では気にならない程度にまで当該配置イメージを解消することができたのである。さらに、実施形態５に対し、実施形態４のように拡散板とレンズシートとを隣接させることで、少ない部品点数で冷陰極管１７の配置イメージを好適に解消することができるのである。【００４９】
＜他の実施形態＞
以上、本発明の実施形態について示したが、本発明は上記記述及び図面によって説明した実施形態に限定されるものではなく、例えば次のような実施形態も本発明の技術的範囲に含まれる。
（１）光源としては冷陰極管に限らず、熱陰極管等その他の放電管を用いることができる。
（２）拡散シートは１枚で構成することもでき、該拡散シートに代えて反射率４０％〜８０％のシートを用いることもできる。
（３）反射型偏光フィルムの光出射側の面をバックライト装置（照明装置）の光出射部としているが、光出射部は照射対象（液晶パネル）に対向する部材の対向面に形成されるものであるため、例えば光出射側に拡散シート等の光学シートが配された場合には、当該光学シートの光出射側が光出射部となる。
【図１】
2009090811.tif 000003
【図２】
2009090811.tif 000004
【図３】
2009090811.tif 000005
【図４】
2009090811.tif 000006
【図５】
2009090811.tif 000007
【図６】
2009090811.tif 000008
【図７】
2009090811.tif 000009
【図８】
2009090811.tif 000010
【図９】
2009090811.tif 000011
【図１０】
2009090811.tif 000012
【図１１】
2009090811.tif 000013
【図１２】
2009090811.tif 000014
【図１３】
2009090811.tif 000015
【図１４】
2009090811.tif 000016
【図１５】
2009090811.tif 000017
【図１６】
2009090811.tif 000018
【図１７】
2009090811.tif 000019
【国際調査報告】
2009090811.tif 000020
2009090811.tif 000021
2009090811.tif 000022
2009090811.tif 000023